(57)【特許請求の範囲】
【請求項１】
少なくとも第１明度での点灯、この第１明度よりも暗い第２明度での点灯、消灯の何れかの点灯状況となる表示部を制御する端末装置であって、
割込イベントの発生を検出するイベント検出手段と、
前記イベント検出手段によって割込イベントの発生が検出された際の前記表示部の点灯状況が、前記第１明度での点灯、前記第２明度での点灯、消灯のいずれであるかを検出する点灯検出手段と、
前記点灯検出手段による前記割込イベントの発生が検出された際の前記表示部の点灯状況の検出結果に基づいて、前記割込イベント終了後の前記表示部の点灯状況を前記第２明度での点灯とするか消灯とするかを判別する判別手段と、
前記判別手段による前記表示部の点灯状況を前記第２明度での点灯とするか消灯とするかの判別結果に基づいて、前記割込イベント終了後に前記表示部が前記第２明度での点灯、消灯の何れか一方の点灯状況となるように制御する点灯制御手段と、
を具備したことを特徴とする端末装置。
【請求項２】
前記判別手段は、前記割込イベントの発生が検出された際の前記表示部の点灯状況が消灯であることを前記点灯検出手段が検出した場合に、前記割込イベント終了後の前記表示部の点灯状況を消灯とすると判別し、
前記点灯制御手段は、前記判別手段による判別結果に基づいて、前記割込イベント終了後に前記表示部が消灯となるように制御する、
ようにしたことを特徴とする請求項１記載の端末装置。
【請求項３】
前記判別手段は、前記割込イベントの発生が検出された際の前記表示部の点灯状況が前記第１明度での点灯であることを前記点灯検出手段が検出した場合に、前記割込イベント終了後の前記表示部の点灯状況を前記第２明度での点灯とすると判別し、
前記点灯制御手段は、前記判別手段による判別結果に基づいて、前記割込イベント終了後に前記表示部が第２明度での点灯となるように制御する、
ようにしたことを特徴とする請求項１記載の端末装置。
【請求項４】
前記判別手段は、前記割込イベントの発生が検出された際の前記表示部の点灯状況が前記第２明度での点灯であることを前記点灯検出手段が検出した場合に、前記割込イベント終了後の前記表示部の点灯状況を前記第２明度での点灯とすると判別し、
前記点灯制御手段は、前記判別手段による判別結果に基づいて、前記割込イベント終了後に前記表示部が第２明度での点灯となるように制御する、
ようにしたことを特徴とする請求項１記載の端末装置。
【請求項５】
前記第２明度での点灯時間を設定する設定手段と、
前記第２明度での点灯経過時間を検出する時間検出手段と、
を更に備え、
前記点灯制御手段は、前記設定手段によって設定されている点灯時間と前記時間検出手段によって検出された点灯経過時間とに基づいて、前記割込イベント終了後の第２明度での点灯時間を制御する、
ようにしたことを特徴とする請求項４記載の端末装置。
【請求項６】
前記割込イベントに対してユーザ操作が行われたか否かを検出する操作検出手段を更に備え、
前記点灯制御手段は、前記判別手段によって前記割込イベント終了後の前記表示部の点灯状況を消灯とすると判別され、かつ、前記操作検出手段によってユーザ操作が行われたことが検出された場合に、そのユーザ操作に対応した動作終了後に前記表示部が第２明度での点灯となるように制御する、
ようにしたことを特徴とする請求項１記載の端末装置。
【請求項７】
前記割込イベントに対してユーザ操作が行われたか否かを検出する操作検出手段を更に備え、
前記点灯制御手段は、前記判別手段によって前記割込イベント終了後の前記表示部の点灯状況を消灯とすると判別され、かつ、前記操作検出手段によってユーザ操作が行われなかったことが検出された場合に、前記割込イベント終了後に前記表示部が消灯となるように制御する、
ようにしたことを特徴とする請求項１記載の端末装置。
【請求項８】
コンピュータに対して、
割込イベントの発生を検出する機能と、
少なくとも第１明度での点灯、この第１明度よりも暗い第２明度での点灯、消灯の何れかの点灯状況となる表示部の前記割込イベントの発生が検出された際の点灯状況が、前記第１明度での点灯、前記第２明度での点灯、消灯のいずれであるかを検出する機能と、
前記割込イベントの発生が検出された際の前記表示部の点灯状況の検出結果に基づいて、前記割込イベント終了後の前記表示部の点灯状況を前記第２明度での点灯とするか消灯とするかを判別する機能と、
前記表示部の点灯状況を前記第２明度での点灯とするか消灯とするかの判別結果に基づいて、前記割込イベント終了後に前記表示部が前記第２明度での点灯、消灯の何れか一方の点灯状況となるように制御する機能と、
を実現させるためのプログラム。
【発明の詳細な説明】
【技術分野】
【０００１】
この発明は、表示部の明るさを制御する端末装置及びプログラムに関する。
【背景技術】
【０００２】
一般に、携帯電話などの端末装置には、有機ＥＬ表示パネル、液晶表示パネルなどの表示デバイスが利用されているが、発光型の表示デバイスのほか、バックライト（照明ライト）を備えた表示デバイスがあり、表示デバイスの種類に応じてその明るさを制御するようにしている。例えば、透過型液晶パネルでは、照明用のバックライトを点灯してから所定時間が経過したのちにバックライトを消灯するようにした技術が知られている（特許文献１参照）。
【特許文献１】特開平０８−３２７９７６号公報
【発明の開示】
【発明が解決しようとする課題】
【０００３】
ところで、一般に、反射型液晶パネルは、外光を利用して表示するようにしているため、例えば、待受中にはその照明ライトを消灯していてもその表示内容を見ることができるが、透過型液晶パネルの場合には、その照明ライトを消灯してしまうと、その表示内容を見ることができなくなってしまうため、待受中には通常の点灯より明度の低い点灯（以降、微灯という）で照明するようにしている。そして、この種の液晶パネルにおいては、例えば、音声電話の着信中やユーザ操作中には点灯、また、待受中には微灯、更に、微灯から所定時間経過後には消灯、というようにその点灯状況を切り替えることによって省電力化を図るようにしているが、上述の微灯は、反射型液晶パネルの消灯に対応しているため、３０分や１時間のように長時間、微灯状態のままであると、電力消費が大きくなってしまう。特に、携帯電話などの端末装置の多機能化に伴って着信やアラームのほかにも新着ニュースの受信など、数多くの割込イベントが発生する毎に、点灯や微灯を行うことは、更なる電力消費を招いてしまう。
【０００４】
この発明の課題は、表示部の点灯を適切に制御することによって省電力化を図ることができる端末装置を提供することである。
【課題を解決するための手段】
【０００５】
請求項１記載の発明は、少なくとも第１明度での点灯、この第１明度よりも暗い第２明度での点灯、消灯の何れかの点灯状況となる表示部を制御する端末装置であって、割込イベントの発生を検出するイベント検出手段と、前記イベント検出手段によって割込イベントの発生が検出された際の前記表示部の点灯状況が、前記第１明度での点灯、前記第２明度での点灯、消灯のいずれであるかを検出する点灯検出手段と、前記点灯検出手段による前記割込イベントの発生が検出された際の前記表示部の点灯状況の検出結果に基づいて、前記割込イベント終了後の前記表示部の点灯状況を前記第２明度での点灯とするか消灯とするかを判別する判別手段と、前記判別手段による前記表示部の点灯状況を前記第２明度での点灯とするか消灯とするかの判別結果に基づいて、前記割込イベント終了後に前記表示部が前記第２明度での点灯、消灯の何れか一方の点灯状況となるように制御する点灯制御手段と、を具備したことを特徴とする。
更に、コンピュータに対して、上述した請求項１記載の発明に示した主要機能を実現させるためのプログラムを提供する（請求項８記載の発明）。
【０００６】
なお、上述した請求項１記載の発明は次のようなものであってもよい。
前記判別手段は、前記割込イベントの発生が検出された際の前記表示部の点灯状況が消灯であることを前記点灯検出手段が検出した場合に、前記割込イベント終了後の前記表示部の点灯状況を消灯とすると判別し、前記点灯制御手段は、前記判別手段による判別結果に基づいて、前記割込イベント終了後に前記表示部が消灯となるように制御する（請求項２記載の発明）。
【０００７】
前記判別手段は、前記割込イベントの発生が検出された際の前記表示部の点灯状況が前記第１明度での点灯であることを前記点灯検出手段が検出した場合に、前記割込イベント終了後の前記表示部の点灯状況を前記第２明度での点灯とすると判別し、前記点灯制御手段は、前記判別手段による判別結果に基づいて、前記割込イベント終了後に前記表示部が第２明度での点灯となるように制御する（請求項３記載の発明）。
【０００８】
前記判別手段は、前記割込イベントの発生が検出された際の前記表示部の点灯状況が前記第２明度での点灯であることを前記点灯検出手段が検出した場合に、前記割込イベント終了後の前記表示部の点灯状況を前記第２明度での点灯とすると判別し、前記点灯制御手段は、前記判別手段による判別結果に基づいて、前記割込イベント終了後に前記表示部が第２明度での点灯となるように制御する（請求項４記載の発明）。
【０００９】
請求項４記載の発明において、前記第２明度での点灯時間を設定する設定手段と、前記第２明度での点灯経過時間を検出する時間検出手段と、を更に備え、前記点灯制御手段は、前記設定手段によって設定されている点灯時間と前記時間検出手段によって検出された点灯経過時間とに基づいて、前記割込イベント終了後の第２明度での点灯時間を制御するようにしてもよい（請求項５記載の発明）。
【００１０】
前記割込イベントに対してユーザ操作が行われたか否かを検出する操作検出手段を更に備え、前記点灯制御手段は、前記判別手段によって前記割込イベント終了後の前記表示部の点灯状況を消灯とすると判別され、かつ、前記操作検出手段によってユーザ操作が行われたことが検出された場合に、そのユーザ操作に対応した動作終了後に前記表示部が第２明度での点灯となるように制御する（請求項６記載の発明）。
【００１１】
前記割込イベントに対してユーザ操作が行われたか否かを検出する操作検出手段を更に備え、前記点灯制御手段は、前記判別手段によって前記割込イベント終了後の前記表示部の点灯状況を消灯とすると判別され、かつ、前記操作検出手段によってユーザ操作が行われなかったことが検出された場合に、前記割込イベント終了後に前記表示部が消灯となるように制御する（請求項７記載の発明）。
【発明の効果】
【００１５】
本発明によれば、割込イベント発生の際における表示部の点灯状況に応じて当該割込イベント終了後の点灯を適切に制御することができ、省電力化を図ることが可能となる。
【発明を実施するための最良の形態】
【００１６】
以下、図１〜図１１を参照して本発明の実施形態を説明する。
図１は、端末装置として適用した携帯電話機が利用可能な通信ネットワークシステムを示したブロック図である。
携帯電話機１は、最寄りの基地局２Ａ、交換機２Ｂから移動体通信網（無線通信網）２に接続されると、移動体通信網２を介して他の携帯電話機１との間で通話可能となり、また、移動体通信網２、インターネット３を介してニュース配信サーバ４に接続されると、このニュース配信サーバ４が配信するニュース情報をダウンロード可能となっている。なお、ニュース配信サーバ４は、定期的、緊急時、あるいはユーザ要求に応じてニュース情報を会員ユーザ宛に配信するサービスを実施する業者側の装置である。
【００１７】
図２は、携帯電話機１の基本的な構成要素を示したブロック図である。
携帯電話機１には、通話機能（音声電話機能）、電子メール機能、インターネット接続機能（Ｗｅｂアクセス機能）、アラーム機能などが備えられている。ＣＰＵ１１は、ＲＯＭ１２内の各種のプログラムに応じてこの携帯電話機１の全体動作を制御する中央演算処理装置である。ＲＯＭ１２は、プログラム領域とデータ領域とを有し、このプログラム領域には、後述する図４〜図９に示す動作手順に応じて本実施形態を実現するためのプログラムが格納されている。
【００１８】
ＲＡＭ１３は、ワーク領域を有する内部メモリで、後述する設定情報記憶部ＡＭのほか、目覚まし用のアラーム日時などを記憶するアラーム情報記憶部ＢＭと、ニュース配信サーバ４から配信されたニュース情報を記憶するニュース記憶部ＣＭと、待受画像（動画あるいは静止画）などの画像データを記憶する画像データ記憶部ＤＭを有している。また、ＲＡＭ１３は、後述する点灯タイマＴ１、微灯タイマＴ２を有するほか、点灯フラグＦ１、微灯フラグＦ２、操作フラグＦ３を有している。
【００１９】
無線通信送受信部１５は、無線部、ベースバンド部、多重分離部などを備え、例えば、通話機能、電子メール機能、インターネット接続機能などの動作時に、最寄りの基地局２Ａとの間でデータの送受信を行うもので、音声電話の通話時にはベースバンド部の受信側から信号を取り込んで受信ベースバンド信号に復調したのち、音声信号処理部１６を介して送話スピーカＳＰから音声出力させ、また、受話マイクＭＣからの入力音声データを音声信号処理部１６から取り込み、送信ベースバンド信号に符号化したのち、ベースバンド部の送信側に与えてアンテナから発信出力させる。また、無線通信送受信部１５は、音声電話の着信を検出したり、ニュース配信サーバ４から配信された新着ニュース情報を受信したりすると、それを割込イベントの発生検出信号としてＣＰＵ１１に与える。
【００２０】
表示部１７は、透過型液晶パネル１７Ａと照明用のバックライト１７Ｂとを備えたもので、文字データ、画像データなどを高精細に表示する構成となっている。バックライト１７Ｂは、小型蛍光管などによって構成され、その点灯によって透過型液晶パネル１７Ａの背後から照明光を照射するもので、「点灯」、「微灯」、「消灯」に切り替え制御される。「点灯」は通常の点灯（点灯レベルが明るい第１明度での点灯）を示し、「微灯」は通常の「点灯」より明度の低い点灯（点灯レベルが暗い第２明度での点灯）を示し、「点灯」に比べて「微灯」は、例えば、１／４程度の明るさとなっている。
【００２１】
点灯検出部１８は、表示部１７の点灯状況（バックライト１７Ｂの点灯状況）として、「点灯」、「微灯」、「消灯」を検出するもので、その検出信号をＣＰＵ１１に与える。ＣＰＵ１１は、音声電話の着信時や新着ニュース受信時などの割込イベントの発生時、あるいはユーザ操作時にバックライト１７Ｂを「点灯」させたり、割込イベントの終了時、あるいはユーザ操作から所定時間経過時に、無駄な電力消費を抑えるためにバックライト１７Ｂを「微灯」あるいは「消灯」させたりするように表示部１７の点灯状況（バックライト１７Ｂの点灯状況）を制御するようにしている。
【００２２】
操作部１９は、各種のキーなどを備え、ダイヤル入力、文字入力、コマンド入力などを行うもので、ＣＰＵ１１は、操作部１９からの入力信号に応じた処理を実行する。ＲＴＣ（リアルタイムクロックモジュール）２０は、時計部を構成するもので、ＣＰＵ１１は、ＲＴＣ２０から現在日時を取得する。報知部２１は、サウンドスピーカ２２、ＬＥＤ（発光ダイオード）２３、振動モータ２４などを備え、着信時に駆動されて着信報知を行う以外に、アラーム日時の到達などのアラーム報知時にも駆動される。
【００２３】
図３は、設定情報記憶部ＡＭを説明するための図である。
設定情報記憶部ＡＭは、バックライト１７Ｂの点灯状況を制御するために予め設定された各種の設定情報を記憶するもので、「点灯時間」、「微灯時間Ａ」、「微灯時間Ｂ」を設定可能となっている。なお、設定情報記憶部ＡＭには「点灯時間」、「微灯時間Ａ」、「微灯時間Ｂ」の項目に対応してそのデフォルト値が設定されているが、その値はユーザ操作に応じて任意に変更可能である。「点灯時間」はキー操作後に第１明度で点灯している時間（キー操作無しの状態が続いている時間）が設定される項目であり、図示の例は“０秒〜６０秒”の選択範囲の中からユーザ操作で“１０秒”の点灯時間を選択して「点灯時間」に設定した場合を例示している。
【００２４】
「微灯時間Ａ」、「微灯時間Ｂ」は第２明度で点灯している時間が設定される項目であり、ＣＰＵ１１は、「点灯」から「微灯」に切り替える際に表示部１７の表示状態が待受状態あるいは画像表示状態であれば、「微灯時間Ａ」を使用し、また、待受状態、画像表示状態以外の状態であれば、「微灯時間Ｂ」を使用するようにしている。なお、図示の例においては、“０分〜９０分”の選択範囲の中からユーザ操作で“３０分”の微灯時間を選択して「微灯時間Ａ」に設定した場合を示し、また、“０分〜５分”の選択範囲の中からユーザ操作で“１分”の微灯時間を選択して「微灯時間Ｂ」に設定した場合を示している。このように「微灯時間Ａ」を「微灯時間Ｂ」よりも長く設定可能としたのは、例えば、待受画面にストーリー性のある動画を表示するような場合などに対応可能とするためである。また、選択範囲の中から所望する時間を選択する場合には、携帯電話機１の使用状況や省電力対策などを総合的に考慮して選択するようにしている。
【００２５】
次に、この実施形態における携帯電話機の動作概念を図４〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００２６】
図４は、電源投入に伴って実行開始される携帯電話機の特徴部分の動作を示したフローチャートである。
先ず、ＣＰＵ１１は、電源を投入する電源オン操作が行われると（ステップＡ１でＹＥＳ）、設定情報記憶部ＡＭから「点灯時間」を読み出すと共に（ステップＡ２）、この「点灯時間」を点灯タイマＴ１にプリセットしてタイマ動作をスタートさせたのち（ステップＡ３）、バックライト１７Ｂの点灯を開始させる（ステップＡ４）。なお、点灯タイマＴ１は、例えば、初期値を順次減算する減算タイマによって構成され、予めプリセットされた「点灯時間」の値が“０”（タイムアウト）となるまでタイマ動作（減算動作）を行うようにしているが、点灯タイマＴ１は、減算タイマに限らず、初期値“０”を順次加算する加算タイマで構成したものであってもよい。
【００２７】
次に、待受処理に移り、無線通信部１４を作動させて現在位置を登録すると共に所定の待受画像を表示させながら電話着信などを待ち受ける待受状態となる（ステップＡ５）。この待受状態において設定情報記憶部ＡＭに対する設定を指示する設定操作が行われると（ステップＡ６でＹＥＳ）、その設定操作に応じて設定処理に移る（ステップＡ７）。すなわち、先ず、設定情報記憶部ＡＭの内容が読み出されてリスト表示されている状態において、変更対象の項目を選択したり、この選択項目に対応付けられている選択範囲の中から所望する時間を選択したりすると、この時間は選択項目に対応付けて設定される。また、待受状態においてＣＰＵ１１は、無線通信送受信部１５での音声電話の着信時、新着ニュースの受信時、アラーム時（アラーム日時の到達時）を割込イベントの発生時として検出すると（ステップＡ８でＹＥＳ）、後述する割込処理に移る（ステップＡ９）。
【００２８】
また、待受状態においてユーザ操作が行われると（ステップＡ１０）、設定情報記憶部ＡＭから「点灯時間」を読み出すと共に（ステップＡ１１）、この「点灯時間」を点灯タイマＴ１にプリセットしてタイマ動作をスタートさせたのち（ステップＡ１２）、表示部１７のバックライト１７Ｂの点灯を開始させる（ステップＡ１３）。そして、操作に応じた処理として、例えば、音声電話の発信処理、電子メール処理などの実行に移る（ステップＡ１４）。また、待受状態において「点灯時間」が経過して点灯タイマＴ１がタイムアウトとなると（ステップＡ１５）、後述する微灯処理の実行に移る（ステップＡ１６）。
【００２９】
また、微灯タイマＴ２がタイムアウトとなると（ステップＡ１７でＹＥＳ）、バックライト１７Ｂを消灯させる（ステップＡ１８）。なお、微灯タイマＴ２は、例えば、初期値を順次減算する減算タイマによって構成されたもので、予めプリセットされた「微灯時間」の値が“０”（タイムアウト）となるまでタイマ動作（減算動作）を行うようにしているが、微灯タイマＴ２は、減算タイマに限らず、初期値“０”を順次加算する加算タイマで構成してもよい。また、待受状態において電源オフ操作が行われると（ステップＡ１９でＹＥＳ）、電源オフ処理に移る（ステップＡ２０）。
【００３０】
図５及び図６は、上述した割込処理（図４のステップＡ９）を詳述するためのフローチャートである。以下、この割込処理を図１０及び図１１を参照しながら具体的に説明するものとする。
図１０は、割込イベントの発生前後におけるバックライト１７Ｂの点灯状況を時間の経過と共に示したタイムチャートであり、割込終了時の表示状態が待受状態の場合にその割込開始時の点灯状況に応じて割込終了後の点灯状況がどのように制御されるかを示している。図１０（１）は、割込イベント発生時（開始時）のバックライト１７Ｂの点灯状況が「点灯」、つまり、点灯中に割込が発生した場合である。
【００３１】
先ず、ＣＰＵ１１は、点灯検出部１８をアクセスして割込開始時のバックライト１７Ｂの点灯状況を検出するが（ステップＢ１）、いま、図１０（１）に示すように点灯中であれば（ステップＢ２でＹＥＳ）、点灯中であることを示すために点灯フラグＦ１に“１”をセットすると共に（ステップＢ３）、微灯中ではないことを示すために微灯フラグＦ２に“０”をセットしたのち（ステップＢ４）、割込イベントの種類に応じた処理に移る（ステップＢ５〜Ｂ１４）。
【００３２】
先ず、発生した割込イベントの種類を判別するために、音声電話の着信による割込イベントか（ステップＢ５）、アラーム日時の到達による割込イベントかを調べる（ステップＢ１２）。ここで、割込イベントが着信であれば（ステップＢ５でＹＥＳ）、音声電話の着信処理を行う（ステップＢ６〜Ｂ１１）。すなわち、報知部２１を駆動して着信報知を行ったのち（ステップＢ６）、応答操作（オフフック操作）の有無を調べたり（ステップＢ７）、着信終了の有無を調べたりしながら応答待ち状態となる（ステップＢ１０）。いま、着信に対する応答操作が行われると（ステップＢ７でＹＥＳ）、ユーザ操作が行われたことを示すために操作フラグＦ３に“１”をセットして（ステップＢ８）、通話可能状態となったのち（ステップＢ９）、通話終了操作（オフフック操作）などによって回線接続が遮断されると、図６のフローに移る。また、着信応答の待ち状態において着信終了を検出したときには（ステップＢ１０でＹＥＳ）、ユーザ操作が行われなかったことを示すために操作フラグＦ３に“０”をセットして（ステップＢ１１）、図６のフローに移る。
【００３３】
割込イベントがアラームであれば（ステップＢ１２でＹＥＳ）、アラーム処理の実行に移る（ステップＢ１３）。図７は、アラーム処理（図５のステップＢ１３）を詳述するためのフローチャートであり、先ず、ＣＰＵ１１は、報知部２１を駆動してアラーム報知を行うほか（ステップＣ１）、アラーム停止操作の有無を調べたり（ステップＣ２）、アラーム報知終了の有無を調べたりしながら操作待ち状態となる（ステップＣ４）。この状態で停止操作が行われると（ステップＣ２でＹＥＳ）、操作フラグＦ３に“１”をセットするが（ステップＣ３）、停止操作が行われずにアラーム報知が終了したときには（ステップＣ４でＹＥＳ）、操作フラグＦ３に“０”をセットする（ステップＣ５）。
【００３４】
割込イベントが新着ニュースの受信であれば（図５のステップＢ１２でＮＯ）、新着ニュース受信処理の実行に移る（ステップＢ１４）。図８は、新着ニュース受信処理（図５のステップＢ１４）を詳述するためのフローチャートであり、先ず、ＣＰＵ１１は、受信した新着ニュース情報をニュース記憶部ＣＭに記憶するほか（ステップＤ１）、報知部２１を駆動して新着ニュース受信報知を行う（ステップＤ２）。そして、このニュース受信報知の終了を検出すると（ステップＤ３でＹＥＳ）、操作フラグＦ３に“０”をセットして（ステップＤ４）、受信した新着ニュース情報を表示部１７に表示させる（ステップＤ５）。
【００３５】
このように割込イベントの種類に応じて着信処理（図５のステップＢ５〜Ｂ１１）、アラーム処理（ステップＢ１３）、新着ニュース受信処理（ステップＢ１４）が実行されて、割込イベントが終了すると、図６のフローに移り、操作フラグＦ３は“１”か、つまり、割込実行中にユーザ操作が行われたかを調べ（ステップＢ２３）、操作フラグＦ３が“１”であれば、後述する微灯処理に移るが（ステップＢ２４）、操作フラグＦ３が“０”であれば（ステップＢ２３でＮＯ）、点灯フラグＦ１は“１”か、つまり、点灯中に割込が発生した場合かを調べ（ステップＢ２５）、点灯フラグＦ１が“１”であれば、微灯処理に移る（ステップＢ２４）。
【００３６】
図９は、微灯処理（図６のステップＢ２４など）を詳述するためのフローチャートである。先ず、ＣＰＵ１１は、表示部１７の表示状態を検出し（ステップＥ１）、待受状態か（ステップＥ２）、画像表示状態かを調べる（ステップＥ６）。いま、図１０（１）に示すように、割込終了時の表示状態が待受状態であれば（ステップＥ２でＹＥＳ）、設定情報記憶部ＡＭから「微灯時間Ａ」を読み出すと共に（ステップＥ３）、この「微灯時間Ａ」を微灯タイマＴ２にプリセットしてタイマ動作をスタートさせたのち（ステップＥ４）、バックライト１７Ｂの微灯を開始させる（ステップＥ５）。これによって割込終了時には「点灯」から「微灯」に切り替えられる。その後、図４のステップＡ６に戻るが、その際、割込終了時から「微灯時間Ａ」が経過することによって微灯タイマＴ２がタイムアウトとなると（図４のステップＡ１７でＹＥＳ）、図１０（１）に示すように「微灯」から「消灯」に切り替える（ステップＡ１８）。
【００３７】
図１０（２）は、割込開始時の点灯状況が「微灯」、つまり、微灯中に割込が発生した場合である。この場合、図５の割込処理において、割込開始時の点灯状況が微灯中であることが検出されるため（ステップＢ１５でＹＥＳ）、点灯フラグＦ１に“０”をセットすると共に（ステップＢ１６）、微灯フラグＦ２に“１”をセットしたのち（ステップＢ１７）、「微灯時間Ａ」と微灯タイマＴ２の値に基づいて微灯残り時間を検出して（ステップＢ１８）、ＲＡＭ１３のワーク領域に一時記憶しておく（ステップＢ１９）。
【００３８】
すなわち、図１０（２）に示すように、割込の開始前に「点灯」から「微灯」に切り替えた際に、その時点から割込開始までの時間を微灯の経過時間「ｔ」とすると、割込開始時での微灯タイマＴ２の値は、経過時間「ｔ」となっており、「微灯時間Ａ」から微灯タイマＴ２の値、つまり、経過時間「ｔ」を減算した“Ａ−ｔ”が微灯残り時間として求められてＲＡＭ１３のワーク領域に一時記憶される。そして、ステップＢ２０に移り、バックライト１７Ｂを制御して「微灯」から「点灯」に切り替える。以下、割込イベントの種類に応じた処理を実行したのち（ステップＢ５〜Ｂ１４）、図６のフローに移るが、割込実行中にユーザ操作が無ければ、ステップＢ２３からステップＢ２５に移る。
【００３９】
いま、割込終了時において点灯フラグＦ１には“０”がセットされ、微灯フラグＦ２には“１”がセットされているので（ステップＢ２６でＹＥＳ）、ＲＡＭ１３のワーク領域から微灯残り時間“Ａ−ｔ”を読み出し（ステップＢ２７）、この微灯残り時間“Ａ−ｔ”を微灯タイマＴ２にプリセットしてタイマ動作をスタートさせたのち（ステップＢ２８）、バックライト１７Ｂの微灯を開始させる（ステップＢ２９）。これによって割込終了時には「点灯」から「微灯」に切り替えられる。その後、図４のステップＡ６に戻るが、その際、割込終了時から微灯残り時間“Ａ−ｔ”が経過することによって、微灯タイマＴ２がタイムアウトとなると（図４のステップＡ１７）、図１０（２）に示すように「微灯」から「消灯」に切り替える（ステップＡ１８）。
【００４０】
また、割込開始時の点灯状況が微灯中である場合に、その割込実行中にユーザ操作が行われていれば、操作フラグＦ３には“１”がセットされているので（図６のステップＢ２３でＹＥＳ）、微灯処理に移る（ステップＢ２４）。この場合、割込終了時の表示状態が待受状態であれば（図９のステップＥ２でＹＥＳ）、「微灯時間Ａ」を微灯タイマＴ２にプリセットしてタイマ動作をスタートさせたのち、バックライト１７Ｂの微灯を開始させる（ステップＥ３〜Ｅ５）。すなわち、微灯タイマＴ２には「微灯時間Ａ」がプリセットされ、割込終了時から「微灯時間Ａ」が経過した際に、「微灯」から「消灯」に切り替える（図４のステップＡ１７、Ａ１８）。
【００４１】
図１０（３）は、割込開始時の点灯状況が「消灯」、つまり、消灯中に割込が発生した場合である。この場合、図５の割込処理において割込開始時の点灯状況が消灯中であることが検出されるため（ステップＢ１５でＮＯ）、点灯フラグＦ１に“０”をセットすると共に（ステップＢ２１）、微灯フラグＦ２に“０”をセットしたのち（ステップＢ２２）、バックライト１７Ｂを制御して「消灯」から「点灯」に切り替える（ステップＢ２０）。以下、割込イベントの種類に応じた処理を実行したのち（ステップＢ５〜Ｂ１４）、図６のフローに移る。ここで、割込実行中にユーザ操作が無ければ、ステップＢ２３からステップＢ２５に移るが、割込終了時に点灯フラグＦ１及び微灯フラグＦ２には“０”がセットされているので（ステップＢ２６でＮＯ）、バックライト１７Ｂを消灯させる（ステップＢ３０）。これによって割込終了時には「点灯」から「消灯」に切り替えられる。
【００４２】
また、割込開始時の点灯状況が消灯中である場合に、その割込実行中にユーザ操作が行われていれば、操作フラグＦ３には“１”がセットされているので（図６のステップＢ２３でＹＥＳ）、上述した微灯処理に移る（ステップＢ２４）。この場合、割込終了時の表示状態が待受状態であれば（図９のステップＥ２でＹＥＳ）、「微灯時間Ａ」を微灯タイマＴ２にプリセットしてタイマ動作をスタートさせたのち、バックライト１７Ｂの微灯を開始させる（ステップＥ３〜Ｅ５）。その後、割込終了時から「微灯時間Ａ」が経過した際に、「微灯」から「消灯」に切り替える（図４のステップＡ１７、Ａ１８）。
【００４３】
一方、割込終了時の表示状態が画像表示状態であれば（図９のステップＥ６でＹＥＳ）、上述した待受状態と同様に、「微灯時間Ａ」を微灯タイマＴ２にプリセットしてタイマ動作をスタートさせたのち、バックライト１７Ｂの微灯を開始させるが（ステップＥ３〜Ｅ５）、待受状態、画像表示状態以外の状態であれば（ステップＥ６でＮＯ）、設定情報記憶部ＡＭから「微灯時間Ｂ」を読み出し（ステップＥ７）、この「微灯時間Ｂ」を微灯タイマＴ２にプリセットしてタイマ動作をスタートさせたのち（ステップＥ８）、バックライト１７Ｂの微灯を開始させる（ステップＥ９）。その後、割込終了時から「微灯時間Ｂ」が経過した際に、「微灯」から「消灯」に切り替える（図４のステップＡ１７、Ａ１８）。
【００４４】
図１１は、ユーザ操作前後におけるバックライト１７Ｂの点灯状況を時間の経過と共に示したタイムチャートであり、点灯時間終了時の表示状態が待受状態か、画像表示状態か、待受状態・画像表示状態以外かに応じて点灯状況がどのように制御されるかを示している。図１１（１）は、点灯時間終了時の表示状態が待受状態の場合である。この場合、ユーザ操作に応答して（図４のステップＡ１０）、「点灯時間」が点灯タイマＴ１にプリセットされてタイマ動作がスタートされると共に、バックライト１７Ｂの点灯が開始されるが（ステップＡ１１〜Ａ１３）、この点灯状態は、点灯タイマＴ１のタイムアウトが検出されるまで継続される（ステップＡ１５）。
【００４５】
点灯タイマＴ１のタイムアウトが検出されると（ステップＡ１５）、図９の微灯処理に移るが（ステップＡ１６）、その際、点灯時間終了時の表示状態が待受状態であることが検出されるため（図９のステップＥ２）、「微灯時間Ａ」を微灯タイマＴ２にプリセットしてタイマ動作をスタートさせたのち、バックライト１７Ｂの微灯を開始させる（ステップＥ３〜Ｅ５）。その後、「微灯時間Ａ」が経過して微灯タイマＴ２がタイムアウトとなると（図４のステップＡ１７）、図１１（１）に示すように「微灯」から「消灯」に切り替える（ステップＡ１８）。
【００４６】
図１１（２）は、点灯時間終了時の表示状態が待受状態・画像表示状態以外の場合である。この場合、ユーザ操作に応答して点灯を開始してから点灯時間が終了すると、微灯処理に移るが（図４のステップＡ１０〜Ａ１６）、その際、点灯時間終了時の表示状態が待受状態・画像表示状態以外であることが検出されるため（図９のステップＥ６でＮＯ）、「微灯時間Ｂ」を微灯タイマＴ２にプリセットしてタイマ動作をスタートさせたのち、バックライト１７Ｂの微灯を開始させる（ステップＥ７〜Ｅ９）。その後、「微灯時間Ｂ」が経過した際に、「微灯」から「消灯」に切り替える（図４のステップＡ１７、Ａ１８）。
【００４７】
以上のように、この第１実施形態においてＣＰＵ１１は、割込イベントの発生を検出した場合における表示部１７の点灯状況（点灯、微灯、消灯）に応じて当該割込イベントの終了後に表示部１７を微灯あるいは消灯するようにしたので、割込イベントの発生時での点灯状況に応じて適切な表示制御が可能となり、省電力化を図ることができる。
【００４８】
割込イベントの発生を検出した場合に消灯中であれば、当該割込イベントの終了後に表示部１７を消灯させるようにしたので、例えば、消灯中に着信があった場合には着信終了後に消灯するなど、実情に応じた制御が可能となる。すなわち、表示部１７が消灯中の場合には、携帯電話機を長時間使用していないことが多いが、このような場合、割込イベントが終了する毎に、表示部１７を点灯させたり微灯させたりする必要はなく、消灯で充分であるため、無駄な電力消費を防止することができる。
【００４９】
割込イベントの発生を検出した場合に点灯中であれば、割込イベント終了後に表示部を微灯させるようにしたので、例えば、点灯中に着信があった場合には着信終了後に微灯するなど、実情に応じた制御が可能となる。すなわち、割込イベント終了後には、ユーザは表示内容を確認できれば良いので、表示部１７を点灯させる必要はなく、微灯で充分であるため、無駄な電力消費を防止することができる。
【００５０】
割込イベントの発生を検出した場合に微灯中であれば、割込イベント終了後に表示部１７を微灯させるようにしたので、例えば、微灯中に着信があった場合には着信終了後に微灯するなど、実情に応じた制御が可能となる。すなわち、割込イベント終了後には、ユーザは表示内容を確認できれば良いので、表示部を点灯させる必要はなく、微灯で充分であるため、無駄な電力消費を防止することができる。
【００５１】
割込イベントの発生を検出した場合に微灯中であれば、割込イベントが発生するまでの微灯タイマＴ２の値を微灯の経過時間「ｔ」として、「微灯時間Ａ」から微灯の経過時間「ｔ」を減算した“Ａ−ｔ”を割込イベント終了後における微灯残り時間として求めて、その残り時間だけ表示部１７を微灯させるようにしたので、微灯時間を３０分や１時間などのように長時間設定することができほか、割込イベントが終了する毎に表示部１７を長時間微灯させる必要はなく、残り時間の微灯で充分であるため、無駄な電力消費を防止することができる。
【００５２】
消灯中に発生した割込イベントに対してユーザ操作が行われた場合、つまり、ユーザが使用中の場合には、割込イベント終了後に表示部１７を微灯させるようにしたので、その表示内容をユーザに確認させることができる。例えば、消灯中に着信が有り、その着信に対して応答操作が行われた場合、その通話終了後に微灯することによって表示内容の確認が可能となる。
【００５３】
消灯中に発生した割込イベントに対してユーザ操作が行われなかった場合、つまり、ユーザが使用中ではない場合には、には、割込イベント終了後に表示部１７を消灯させるようにしたので、無駄な電力消費を防止することができる。
【００５４】
微灯を開始する際の表示部１７の表示状態に応じてその微灯時間を制御するようにしたので、微灯を開始する際の表示状態に応じて適切な表示制御が可能となり、省電力化を図ることができる。
【００５５】
微灯を開始する際の表示部１７の表示状態が待受状態の場合には、それ以外の状態の場合より表示部１７を長時間微灯させるようにしたので、その表示内容をより長い間ユーザに確認させることができる。例えば、近年の携帯電話機では、待受画面にストーリー性のある動画を表示しているものが多く、このような表示内容をユーザに長時間見せることができるほか、待受状態以外の場合の微灯時間を相対的に短くすることで、無駄な電力消費を防止することができる。
【００５６】
微灯を開始する際の表示部１７の表示状態が動画や静止画など、画像表示状態の場合には、それ以外の状態の場合より表示部１７を長時間微灯させるようにしたので、表示内容をより長い間ユーザに確認させることができる。例えば、ムービー再生機能やテレビ放送視聴機能の表示内容をユーザに長時間見せることができるほか、画像表示状態以外の場合の微灯時間を相対的に短くすることで、無駄な電力消費を防止することができる。
【００５７】
なお、上述した実施形態においては、「点灯時間」を設定する場合に“０秒〜６０秒”の選択範囲の中から任意の点灯時間を選択して設定し、また、「微灯時間Ａ」、「微灯時間Ｂ」を設定する場合に“０分〜９０分”あるいは“０分〜５分”の選択範囲の中から任意に選択して設定するようにしたが、ユーザ操作によって任意の時間を入力して「点灯時間」、「微灯時間Ａ」、「微灯時間Ｂ」に設定するようにしてもよい。さらには、ユーザ操作よる設定は可能ではなく、予め設定されていてもよい。
【００５８】
割込イベントとしては、音声電話の着信、アラーム、新着ニュースの受信に限らず、電子メールの受信、低電圧警報、圏外警報などであってもよい。また、画像データ記憶部ＤＭに記憶されている画像データは、静止画、動画に限らず、テレビ映像など、放送受信中の動画であってもよい。
【００５９】
また、上述した実施形態においては、微灯中に割込イベントが発生した場合に、この割込中にユーザ操作が行われていれば、割込終了直後に「微灯時間Ａ」の微灯に切り替えるようにしたが、割込中のユーザ操作では、割込が終了しているか否かに拘わらず、ユーザ操作から「点灯時間」の「点灯」を行ったのち、「微灯時間Ａ」の微灯に切り替えるようにしてもよい。
【００６０】
同様に、上述した実施形態においては、消灯中に割込イベントが発生した場合に、この割込中にユーザ操作が行われていれば、割込終了直後に「微灯時間Ａ」の微灯に切り替えるようにしたが、割込中のユーザ操作では、割込が終了しているか否かに拘わらず、ユーザ操作から「点灯時間」の「点灯」を行ったのち、「微灯時間Ａ」の微灯に切り替えるようにしてもよい。
【００６１】
上述した実施形態においては、表示部１７の明るさレベルとしては、「点灯」、「微灯」、「消灯」に限らず、４以上のレベルで制御するようにしてもよい。また、液晶表示デバイスのような受光型に限らず、例えば、有機ＥＬなど、発光型にも適用可能であり、発光による明るさを「点灯」、「微灯」などのように制御すればよい。
その他、端末装置としては、携帯電話機に限らず、例えば、パーソナルコンピュータ、ＰＤＡ、デジタルカメラ、電子プレイヤなど、任意の端末装置でもよい。
【図面の簡単な説明】
【００６２】
【図１】端末装置として適用した携帯電話機が利用可能な通信ネットワークシステムを示したブロック図。
【図２】携帯電話機１の基本的な構成要素を示したブロック図。
【図３】設定情報記憶部ＡＭを説明するための図。
【図４】電源投入に伴って実行開始される携帯電話機の特徴部分の動作を示したフローチャート。
【図５】割込処理（図４のステップＡ９）を詳述するためのフローチャート。
【図６】図５に続く割込処理のフローチャート。
【図７】アラーム処理（図５のステップＢ）を詳述するためのフローチャート。
【図８】新着ニュース受信処理（図５のステップＢ）を詳述するためのフローチャート。
【図９】微灯処理（図６のステップＢなど）を詳述するためのフローチャート。
【図１０】割込イベントの発生前後におけるバックライト１７Ｂの点灯状況を時間の経過と共に示したタイムチャートで、（１）は、点灯中に割込が発生した場合、（２）は、微灯中に割込が発生した場合、（３）は、消灯中に割込が発生した場合を示したタイムチャート。
【図１１】ユーザ操作前後におけるバックライト１７Ｂの点灯状況を時間の経過と共に示したタイムチャートで、（１）は、点灯時間終了時の表示状態が待受状態の場合、（２）は、点灯時間終了時の表示状態が待受状態・画像表示状態以外の場合を示したタイムチャート。
【符号の説明】
【００６３】
１  携帯電話機
２  移動体通信網
３  インターネット
４  ニュース配信サーバ
１１  ＣＰＵ
１２  ＲＯＭ
１５  無線通信送受信部
１７  表示部
１７Ａ  透過型液晶パネル
１７Ｂ  バックライト
１８  点灯検出部
１９  操作部
２０  ＲＴＣ
２１  報知部
【図１】
0004501991.tif 000002
【図２】
0004501991.tif 000003
【図３】
0004501991.tif 000004
【図４】
0004501991.tif 000005
【図５】
0004501991.tif 000006
【図６】
0004501991.tif 000007
【図７】
0004501991.tif 000008
【図８】
0004501991.tif 000009
【図９】
0004501991.tif 000010
【図１０】
0004501991.tif 000011
【図１１】
0004501991.tif 000012